(57)【要約】【課題】高価で特殊な導水シートを用いなくても、揚水性又は保水性ブロックによる舗装の表面に、長期間に亘って水を継続的に供給して、舗装の表面を常時保湿状態に保持できると共に、給水経路の補修作業を簡易に且つ容易に行うことのできる保湿性ブロック舗装構造を提供する。【解決手段】舗装１１の表面を保湿状態に保持する機能を備える揚水性又は保水性ブロック１２による保湿性ブロック舗装構造１０であって、基盤層１４の上に中間敷設層１５を介在させて、縦横に敷き並べて設置された多数の揚水性又は保水性ブロック１２と、これらの目地部１３の厚さ方向中間部分に配置されて、当該目地部１３に沿って延設する給水導管１６と、給水導管１６を覆って目地部に充填された目地材１７とを含んで形成されている。中間敷設層１５は、基盤層１４の表面を覆って敷設された遮水シート１８と、遮水シート１８の上方に敷き均された砂層１９とからなる。【選択図】図１
2014043699.tif 000002
【特許請求の範囲】
【請求項１】
舗装の表面を保湿状態に保持する機能を備える保湿性ブロック舗装構造であって、
基盤層の上に中間敷設層を介在させて、縦横に敷き並べて設置された多数の揚水性又は保水性ブロックと、該揚水性又は保水性ブロックの目地部の厚さ方向中間部分に配置されて、当該目地部に沿って延設する給水導管と、該給水導管を覆って前記目地部に充填された目地材とを含んで形成される保湿性ブロック舗装構造。
【請求項２】
前記中間敷設層は、前記基盤層の表面を覆って敷設された遮水シート又はアスファルトコンクリート層と、該遮水シート又はアスファルトコンクリート層の上方に敷き均された砂層とからなる請求項１記載の保湿性ブロック舗装構造。
【請求項３】
前記中間敷設層は、前記基盤層の上方に敷設されたモルタル層からなる請求項１記載の保湿性ブロック舗装構造。
【請求項４】
前記目地部が、８〜３０ｍｍの目地幅を有している請求項1〜３のいずれか１項記載の保湿性ブロック舗装構造。
【請求項５】
前記目地部に、当該目地部の目地幅を保持するスペーサ部材が取り付けられている請求項１〜４のいずれか１項記載の保湿性ブロック舗装構造。
【請求項６】
前記給水導管が、滲みだしチューブである請求項1〜５のいずれか１項記載の保湿性ブロック舗装構造。
【請求項７】
前記目地材が、透水目地材又は保水目地材である請求項1〜６のいずれか１項記載の保湿性ブロック舗装構造。
【発明の詳細な説明】
【技術分野】
【０００１】
本発明は、保湿性ブロック舗装構造に関し、特に、舗装の表面を保湿状態に保持する機能を備える保湿性ブロック舗装構造に関する。
【背景技術】
【０００２】
近年のヒートアイランド現象に対する対策として、吸水性や透水性を有する舗装の表面を湿潤状態に保持すると共に、湿潤状態に保持した舗装の表面から水が蒸散することによる蒸発潜熱を利用した、いわゆる打ち水効果によって、舗装面の温度上昇を抑制できるようにした湿潤性（保湿性）舗装が種々開発されている。
【０００３】
一方、湿潤性舗装に水を供給する方法として、例えば舗装の表面に上方から散水する方法や、舗装の内部に形成した孔に配管した灌水パイプや、舗装の下面に並べて配管した灌水パイプから水を給水する方法が考えられるが、これらの方法では、水はねが生じたり、舗装に割れが発生しやすくなったり、給水のむらが大きくなったりするといった不具合が生じることになる。
【０００４】
これに対して、吸水性や透水性を有する舗装の下方の基盤層を覆って、導水シートを敷設すると共に、導水シートの端部を給水管の内部に浸漬させたり、配管溝に配管した給水導管に導水シートを巻き付けたりすることで、給水管や給水導管から供給される水を、導水シートに沿わせて広範囲に浸透拡散させると共に、浸透拡散させた水を、導水シートの上方に敷き均した砂層や、砂層の上に形成された吸水性や透水性を有する舗装の内部を通過させながら、舗装の表面まで揚水させることで、舗装の表面を湿潤状態に保持できるようにした湿潤性舗装システムが開発されている（例えば、特許文献１、特許文献２参照）。
【先行技術文献】
【特許文献】
【０００５】
【特許文献１】特開２００１−８１７０９号公報
【特許文献２】特開２００５−３５１０２６号公報
【発明の概要】
【発明が解決しようとする課題】
【０００６】
特許文献１や特許文献２に記載の湿潤性舗装システムでは、水はねや、舗装の割れや、大きなむらを生じることなく、舗装の表面に水を継続的に供給して、舗装の表面を常時湿潤状態に保持することが可能であるが、高価で特殊な導水シートを用いる必要があると共に、導水シートの端部処理が煩雑になるため、施工コストが増大する。また、導水シートから供給される水は、舗装の下面から毛細管現象によって上昇して舗装の表面に到ることになるので、舗装を、多数の揚水性ブロックを縦横に敷き並べたブロック舗装とする場合に、例えば安価な揚水性又は保水性コンクリートブロックを用いると、ブロック舗装を通過する水とコンクリートが反応することでエフロレッセンスが生じることになって、長期間が経過すると経年劣化によって揚水機能が低下しやくなる。このため、揚水性又は保水性ブロックとして、例えば高価なセラミックブロックを用いる必要を生じて、さらに施工コストが増大する。
【０００７】
また、特許文献１や特許文献２に記載の湿潤性舗装システムでは、舗装の下方に配設された導水シートや給水導管による給水経路に、万が一、詰りや破損等による不具合が生じた場合に、これらの補修や交換を行うためには、湿潤性舗装や砂層を撤去したり、形成し直す必要があることから、これらの補修作業が大規模且つ煩雑になると共に、施工コストが増大する。
【０００８】
本発明は、高価で特殊な導水シートや、高価なセラミックブロックを用いなくても、揚水性又は保水性ブロックによる舗装の表面に、長期間に亘って水を継続的に且つ安定して供給して、舗装の表面を常時保湿状態に保持することができると共に、給水経路の補修作業を簡易に且つ容易に行うことのできる保湿性ブロック舗装構造を提供することを目的とする。
【課題を解決するための手段】
【０００９】
本発明は、舗装の表面を保湿状態に保持する機能を備える保湿性ブロック舗装構造であって、基盤層の上に中間敷設層を介在させて、縦横に敷き並べて設置された多数の揚水性又は保水性ブロックと、該揚水性又は保水性ブロックの目地部の厚さ方向中間部分に配置されて、当該目地部に沿って延設する給水導管と、該給水導管を覆って前記目地部に充填された目地材とを含んで形成される保湿性ブロック舗装構造を提供することにより、上記目的を達成したものである。
【００１０】
そして、本発明の保湿性ブロック舗装構造は、前記中間敷設層が、前記基盤層の表面を覆って敷設された遮水シート又はアスファルトコンクリート層と、該遮水シート又はアスファルトコンクリート層の上方に敷き均された砂層とからなることが好ましい。
【００１１】
また、本発明の保湿性ブロック舗装構造は、前記中間敷設層が、前記基盤層の上方に敷設されたモルタル層からなることが好ましい。
【００１２】
さらに、本発明の保湿性ブロック舗装構造は、前記目地部が、８〜３０ｍｍの目地幅を有していることが好ましい。
【００１３】
さらにまた、本発明の保湿性ブロック舗装構造は、前記目地部に、当該目地部の目地幅を保持するスペーサ部材が取り付けられていることが好ましい。
【００１４】
さらに、本発明の保湿性ブロック舗装構造は、前記給水導管が、滲みだしチューブであることが好ましい。
【００１５】
さらにまた、本発明の保湿性ブロック舗装構造は、前記目地材が、透水目地材又は保水目地材であることが好ましい。
【発明の効果】
【００１６】
本発明の保湿性ブロック舗装構造によれば、高価で特殊な導水シートや、高価なセラミックブロックを用いなくても、揚水性又は保水性ブロックによる舗装の表面に、長期間に亘って水を継続的に且つ安定して供給して、舗装の表面を常時保湿状態に保持することができると共に、給水経路の補修作業を簡易に且つ容易に行うことができる。
【図面の簡単な説明】
【００１７】
【図１】本発明の好ましい第１実施形態に係る保湿性ブロック舗装構造の構成を説明する略示断面図である。
【図２】本発明の好ましい第２実施形態に係る保湿性ブロック舗装構造の構成を説明する略示断面図である。
【図３】本発明の好ましい第１実施形態に係る保湿性ブロック舗装構造の他の構成を説明する略示断面図である。
【図４】本発明の好ましい第２実施形態に係る保湿性ブロック舗装構造の他の構成を説明する略示断面図である。
【発明を実施するための形態】
【００１８】
図１に示す本発明の好ましい第１実施形態に係る保湿性（湿潤性）ブロック舗装構造１０は、例えば歩道や遊歩道、広場や運動場、駐車場や集荷場などの舗装を形成し、揚水性又は保水性ブロック１２による舗装１１の表面を保湿状態（湿潤状態）に保持して、舗装１１の表面から継続的に水を蒸散させることにより、蒸発潜熱を利用した打ち水効果によって、舗装面の温度上昇を抑制すると共に、例えばヒートアイランド現象が生じるのを効果的に抑制できるようにする機能を備えるものである。また、第１実施形態の保湿性ブロック舗装構造１０は、簡易な構成を備えていて、安価に形成することができると共に、給水経路の補修作業についても、簡易に且つ容易に行うことができるようになっている。
【００１９】
そして、本第１実施形態の保湿性ブロック舗装構造１０は、舗装１１の表面を保湿状態に保持する機能を備える揚水性又は保水性ブロック１２による舗装構造であって、基盤層１４の上に中間敷設層１５を介在させて、縦横に敷き並べて設置された多数の揚水性又は保水性ブロック１２と、揚水性又は保水性ブロック１２の目地部１３の厚さ方向中間部分に配置されて、当該目地部１３に沿って延設する給水導管１６と、給水導管１６を覆って目地部１３に充填された目地材１７とを含んで形成されている。
【００２０】
また、、本第１実施形態では、中間敷設層１５は、基盤層１４の表面を覆って敷設された遮水シート又はアスファルトコンクリート層１８と、遮水シート又はアスファルトコンクリート層１８の上方に敷き均された砂層１９とからなっている。
【００２１】
本第１実施形態では、基盤層１４は、例えば路床の上に敷き均し転圧された砕石層による砕石基盤層となっている。基盤層１４は、例えば橋梁等の床版を構成するコンクリ−ト層等であっても良い。
【００２２】
中間敷設層１５を構成する遮水シート１８は、例えば塩化ビニル系シート材等からなる、遮水シート１８として知られる公知の種々のシート材料を用いることができる。遮水シート１８は、基盤層１４の表面を隙間無く連続して覆った状態で敷設されることになる。また、本第１実施形態では、遮水シート１８に代えて、例えば密粒度アスファルトコンクリートからなるアスファルトコンクリート層１８を、例えば１０〜３０ｍｍ程度の厚さで敷設して用いることもできる。遮水シート又はアスファルトコンクリート層１８は、必ずしも敷設される必要はないが、基盤層１４の表面を覆って遮水シート又はアスファルトコンクリート層１８が敷設されていることにより、給水導管１６から供給された水を、砕石基盤層１４に浸透させることなく、揚水性又は保水性ブロック１２を介して広範囲に拡散させることが可能になる。
【００２３】
遮水シート又はアスファルトコンクリート層１８の上方に敷き均された砂層１９は、山砂等の、土木材料をして知られる各種の砂を用いて形成することができる。砂層１９は、例えば２０〜３０ｍｍ程度の厚さで設けられる。これによって、揚水性又は保水性ブロック１２の高さ調整を容易に行うことが可能になると共に、給水導管１６から供給された水を、さらに効率良く拡散させることが可能になる。
【００２４】
本実施形態では、揚水性又は保水性ブロック１２として、好ましくは、安価で入手が容易な、揚水性又は保水性コンクリートブロックを用いることができる。揚水性又は保水性コンクリートブロックは、内部に形成された微細な孔による連続通路介して、主として毛細管現象によって、吸水した水を広範囲に行き渡らせることが可能な機能を備えている。このような揚水性又は保水性コンクリートブロックとして、例えば商品名「エコ・レイク爽」（東洋工業株式会社製）を用いることができる。揚水性又は保水性コンクリートブロックは、水と反応することでエフロレッセンスが発生するのを効果的に抑制できるように、白華防止剤や、硅砂を適量配合したものを用いることが好ましい。なお、揚水性又は保水性ブロック１２として、揚水性又は保水性コンクリートブロックの他、揚水性セラミックブロックを用いることもできる。さらに、揚水機能又は保水機能を備える、その他の種々の舗装用のブロックを用いることもできる。
【００２５】
揚水性又は保水性ブロック１２は、例えば縦横１００〜６００ｍｍ、厚さ３０〜１００ｍｍ程度の大きさの、正方形又は矩形の平面形状を有するように形成されたものを用いることができる。揚水性又は保水性ブロック１２は、基盤層１４の上に砂層を介在させて舗装用ブロックを敷き並べて固定する従来の方法と同様の施工方法によって、所定の目地幅の目地部１３を保持した状態で、縦横に多数敷き並べて砂層１９の上に設置される。
【００２６】
ここで、隣接する揚水ブロック１２の間に保持される目地部１３の目地幅は、８〜３０ｍｍとすることが好ましい。目地部１３の目地幅が狭すぎると、給水導管１６を配置することが難しくなり、広すぎると、給水導管１６から供給された水が揚水性又は保水性ブロック１２に滲み渡り難くなる。目地部１３の目地幅が８〜３０ｍｍとなっていることにより、給水導管１６を配置し易くなると共に、給水導管１６から供給された水を、揚水性又は保水性ブロック１２に効率良く滲み渡らせることが可能になる。
【００２７】
隣接する揚水性又は保水性ブロック１２の間に保持される目地部１３は、揚水性又は保水性ブロック１２の側面から目地キープを所定の突出高さで突出させて設けたり、揚水性又は保水性ブロック１２と別途に形成したスペーサ部材を取り付けて用いることにより、所定の目地幅を保持した状態で容易に形成することができる。これらの目地キープやスペーサ部材は、給水導管１６を目地部１３に沿って所定の高さ位置に装着するための、受け台として用いることもできる。
【００２８】
本第１実施形態では、縦横に敷き並べて配置された多数の揚水性又は保水性ブロック１２の間に保持されて、碁盤の目状に形成された目地部１３のうち、例えば同じ方向に平行に延設する好ましくは２〜４列おきの目地部１３に、当該目地部１３に沿って延設させて、給水導管１６が装着される。
【００２９】
給水導管１６は、当該導管１６の内部に供給された水を当該導管１６の外部に時間をかけて少量ずつ定量的に放出できるように構成された給水管である。給水導管１６としては、例えば細孔にドリッパーから定量的に水を滴らせる点滴パイプや、パイプの内部にわずかな水圧をかけてパイプの表面から水を滲みださせる滲みだしパイプ、定量給水可能な多孔管等を用いることができる。本第１実施形態では、導管１６のどの位置においても流出量（吐出量）が一定又は略一定となるようにすると共に、舗装１１や揚水性又は保水性ブロック１２の温度膨張などによる変化にフレキシブルに対応できるように、好ましくは滲みだしパイプとして、可撓性を備える例えばゴム製の滲みだしチューブを用いることができる。このような滲みだしチューブとしては、商品名「ウォーターチューブ」（大和実業株式会社製）や、商品名「ラムスケープ点滴ホース」（株式会社ノーユー社製）等を用いることができる。
【００３０】
給水導管１６は、好ましくは２〜４列おきの各々の目地部１３における、当該目地部１３の厚さ方向中間部分において、好ましくは目地部１３の上部に配置されて、好ましくは外周部分を両側の揚水性又は保水性ブロック１２の側面に密着させた状態で取り付けられる。これによって、給水導管１６から染みだした水を、揚水性又は保水性ブロック１２の側面から当該揚水性又は保水性ブロック１２にスムーズに滲みこませて、主に舗装１１の表面に近い部分に沿わせて、舗装１１の内部に効率良く広範囲に浸透拡散させることが可能になる。
【００３１】
目地部１３に配置された給水導管１６を覆って目地部１３に充填される目地材１７は、従来の舗装用ブロックを用いたブロック舗装に用いる、目地モルタル等の公知の各種の目地材を用いることができる。目地材１７は、給水導管１６を覆って目地部１３に充填されて、給水導管１６が目地部１３から脱落しないようにすると共に、給水導管１６を防護する。
【００３２】
また、本第１実施形態では、給水導管１６を覆う目地材１７として、好ましくは透水性や保水性を有する、透水目地モルタルや保水目地モルタル等の、透水目地材又は保水目地材が用いられている。給水導管１６を覆う目地材１７として、透水目地材又は保水目地材が用いられていることにより、給水導管１６から供給された水を効率良く拡散させることが可能になる。本第１実施形態では、給水導管１６が取り付けられていない他の目地部１３にも、目地材１７として透水目地材又は保水目地材が充填されている。
【００３３】
そして、上述の構成を備える本第１実施形態の保湿性ブロック舗装構造１０によれば、高価で特殊な導水シートや、高価なセラミックブロックを用いなくても、揚水性又は保水性ブロック１２による舗装１１の表面に、長期間に亘って水を継続的に且つ安定して供給して、舗装１１の表面を常時保湿状態に保持することが可能になると共に、給水経路の補修作業を簡易に且つ容易に行うことが可能になる。
【００３４】
すなわち、本第１実施形態によれば、保湿性ブロック舗装構造１０は、基盤層１４の上に中間敷設層１５を介在させて、縦横に敷き並べて設置された多数の揚水性又は保水性ブロック１２と、揚水性又は保水性ブロック１２の目地部１３の厚さ方向中間部分に配置されて、当該目地部１３に沿って延設する給水導管１６と、給水導管１６を覆って目地部１３に充填された目地材１７とを含んで形成されており、給水導管１６を介して供給された水は、主として揚水性又は保水性ブロック１２の側面から、揚水性又は保水性ブロック１２に浸透してゆくと共に、さらに給水導管１６が設置されていない目地部１７にも浸透しながら、横方向に移動して、舗装１１の内部に広範囲に拡散して行くことになる。これによって、給水導管１６から継続的に供給される水を、舗装１１の表面に長期間に亘って安定した状態で継続的に送り出して、舗装１１の表面を常時容易に保湿状態に保持することが可能になるので、保湿状態となった舗装１１の表面の水を蒸散させることで、蒸発潜熱による打ち水効果によって、ヒートアイランド現象が生じるのを、効果的に抑制することが可能になる。
【００３５】
また、本第１実施形態によれば、給水導管１６から供給された水は、揚水性又は保水性ブロック１２の側面から揚水性又は保水性ブロック１２に浸透して、横方向に移動しながら広範囲に拡散して行くことになるので、揚水性又は保水性ブロック１２として揚水性又は保水性コンクリートブロックを用いた場合でも、舗装の下面から水を上昇させて舗装の表面に到らせるものと比較して、舗装を通過する水とコンクリートが反応することでエフロレッセンスが発生するのを、効果的に抑制することが可能になり、これによって、揚水性又は保水性コンクリートブロックを用いた場合でも、長期間が経過することで経年劣化によって揚水性又は保水性ブロック１２の揚水機能が低下するのを、効果的に抑制することが可能になる。
【００３６】
さらに、本第１実施形態によれば、舗装１１の内部に水を供給する給水導管１６は、舗装１１の下方の砂層１９や基盤層１４に配置されるのではなく、隣接する揚水性又は保水性ブロック１２の間の目地部１３に配置されているので、給水導管１６の補修や交換は、揚水性又は保水性ブロック１２を撤去することなく、給水導管１６を覆う目地材１７を目地部１３から撤去するだけで容易に行うことが可能になり、これによって給水導管１６による給水経路の補修作業を、簡易に行うことが可能になる。
【００３７】
図２は、本発明の好ましい第２実施形態に係る保湿性ブロック舗装構造２０を示すものである。本第２実施形態の保湿性ブロック舗装構造２０では、基盤層１４と多数の揚水性又は保水性ブロック１１との間に介在する中間敷設層１５’の構成が、上記第１実施形態のものと相違しており、その他の構成については、上記第１実施形態の保湿性ブロック舗装構造１０のものと同様となっている。
【００３８】
すなわち、本第２実施形態の保湿性ブロック舗装構造２０では、中間敷設層１５’は、基盤層１４の上方に敷き均された、例えばバサモルタルを用いたモルタル層２１からなっている。また、多数の揚水性又は保水性ブロック１２は、ノロ層２２によって高さ調整された状態で、モルタル層２１の上に縦横に敷き並べて設置されている。
【００３９】
本第２実施形態の保湿性ブロック舗装構造２０によっても、上記第１実施形態の保湿性ブロック舗装構造１０と同様の作用効果が奏される他、中間敷設層１５’がモルタル層２１からなっていることにより、揚水性又は保水性ブロック１２の底部がモルタル層２１によって固定されることになるので、使用後に段差等が発生し難いブロック舗装構造２０を形成することが可能になる。
【００４０】
ここで、上記第１実施形態の保湿性ブロック舗装構造１０や上記第２実施形態の保湿性ブロック舗装構造２０のいずれにおいても、例えば図３や図４に示すように、給水導管１６を配置した目地部１３の目地幅を例えば２０ｍｍとし、給水導管１６を配置しない目地部１３の目地幅を、給水導管１６を配置した目地部１３の目地幅よりも狭い、例えば１０ｍｍとすることにより、給水導管１６を配置した目地部１３を識別し易くなって、保湿性ブロック舗装構造１０や、当該舗装構造１０への給水システムの維持管理を、効率良く行うことが可能になる。
【００４１】
なお、本発明は上記各実施形態に限定されることなく種々の変更が可能である。例えば、本発明の保湿性ブロック舗装構造は、ビル等の建物の屋内や屋上、高架道路、人工地盤等の舗装構造として用いることもできる。
【符号の説明】
【００４２】
１０，２０  ブロック舗装構造
１１  舗装
１２  揚水性又は保水性ブロック
１３  目地部
１４  基盤層（砕石基盤層）
１５，１５’  中間敷設層
１６  給水導管
１７  目地材
１８  遮水シート又はアスファルトコンクリート層
１９  砂層
２１  モルタル層２１
２２  ノロ層
【図１】
2014043699.tif 000003
【図２】
2014043699.tif 000004
【図３】
2014043699.tif 000005
【図４】
2014043699.tif 000006